(57)【要約】【課題】指押さえ位置の音が何の音であるかを一目瞭然に知ることができ、更には、和音に付加する音を自由に選択しながら和音構成を組み立てることができるようにする。【解決手段】弦楽器の指板２４上の各位置に対応した音の高さを、指板２４の各弦２２と各フレット２５との座標系に従って等間隔で記載された指板表示部２を設け、指板表示部２の各フレット位置に対応させてフレット番号を順次等間隔で記載したフレット表示部３を設け、指板表示部２とフレット表示部３とを並設した状態で長手方向に沿って相対移動自在に支持する支持本体１を設けてある。【選択図】        図１
2004157303.tif 000002
【特許請求の範囲】
【請求項１】
弦楽器の指板上の各位置に対応した音の高さを、前記指板の各弦と各フレットとの座標系に従って等間隔で記載された指板表示部を設け、前記指板表示部の各フレット位置に対応させてフレット番号を順次等間隔で記載したフレット表示部を設け、前記指板表示部と前記フレット表示部とを並設した状態で長手方向に沿って相対移動自在に支持する支持本体を設けてある弦楽器和音作成支援具。
【請求項２】
前記指板表示部に記載された音の高さは、特定の調性での基音から数えた整数度数、及び、嬰記号と変記号との少なくとも一方を用いて表示してあり、且つ、前記整数度数については、その調整での和音構成音の度数表示のみを使用してある請求項１に記載の弦楽器和音作成支援具。
【請求項３】
前記指板表示部のナット部の側縁部に、前記指板表示部に記載されている基音を基にした調性名を記載してあると共に、ブリッジ側に隣接する各フレットの側縁部に、順次、半音づつ低い音を基音とする調性名を記載してある請求項２に記載の弦楽器和音作成支援具。
【請求項４】
特定の音を基音とする各和音名とそれらの和音構成音とを対応させて記載した和音構成表示部、及び、各調性についてその調性名と調合表示と基音とを対応させて譜表に記載した調性一覧表示部の少なくとも一方を、前記指板表示部と前記フレット表示部と一括して見ることができる配置で、前記支持本体に設けてある請求項１〜３の何れか一項に記載の弦楽器和音作成支援具。
【請求項５】
前記支持本体と前記フレット表示部とは一体に構成してあり、前記支持本体には、前記指板表示部の上面を覆う状態に透明板を設けてある請求項１〜４の何れか一項に記載の弦楽器和音作成支援具。
【発明の詳細な説明】
【０００１】
【発明の属する技術分野】
本発明は、弦楽器における和音の押さえ位置を、指板の各弦と各フレットとの座標系に従って記載された指板表示部の表示から求めるための弦楽器和音作成支援具に関する。
【０００２】
【従来の技術】
従来、この種の弦楽器和音作成支援具としては、図５に示すように、各和音毎に、該当するフレットのフレット番号３ｂを記した指板表示部３０上に、押さえ位置を「●」で表示した所謂「コードブック」と言うものがあった。
尚、この様な従来技術に関しては、先行技術調査を行うまでもなく、当業者の間で広く知られているものであることから、先行技術文献は示していない。
【０００３】
また、別の弦楽器和音作成支援具としては、電気的に指押さえ位置を表示するように構成されたものがあり、和音名を入力する入力部と、押さえ位置を表示自在なディスプレイーからなる指板表示部と、前記入力部から入力された和音名に相当する複数通りのコードフォームを記憶した和音記憶部とを備え、入力部から入力された和音名にしたがって和音記憶部から該当するコードフォームを抽出して指板表示部に「●」で指押さえ位置を表示するように構成したものがあった（例えば、特許文献１参照）。
【０００４】
【特許文献１】
登録実用新案第３０８２７４５号公報（図３）
【０００５】
【発明が解決しようとする課題】
和音は、例えば、Ｃメジャースケールを例に挙げて説明すると、各音階の音を基音とした和音（所謂「ダイアトニックコード」）が一般的に用いられ、三つの音で構成された前記ダイアトニックコードでは、Ｃ、Ｄｍ、Ｅｍ、Ｆ、Ｇ、Ａｍ、Ｂｍといった名前で呼ばれるものがある。また、四つの音で構成された前記ダイアトニックコードでは、Ｃｍａｊ７、Ｄｍ７、Ｅｍ７、Ｆｍａｊ７、Ｇ７、Ａｍ７、Ｂｍ７♭５といった名前で呼ばれるものがある。
更には、これらの和音に、基音から数えて９度の音や１１度等と言ったテンションノートを加えた和音もジャズやボサノバ等の音楽では多用されている。そして、この様なテンションノートを楽曲の中で効果的に使用することによって、より細かな表情を音楽に盛り込めることが知られており、アドリブ演奏にも多用されている。
また、ここでは、Ｃメジャースケールを例に挙げて説明したが、音楽の調性はＣ、Ｃ♯（Ｄ♭）、Ｄ、Ｄ♯（Ｅ♭）、Ｅ、Ｆ、Ｆ♯（Ｇ♭）、Ｇ、Ｇ♯（Ａ♭）、Ａ、Ａ♯（Ｂ♭）、Ｂの１２種類あり、それぞれに、上述のダイアトニックコードや、他のものが存在し、その数は、膨大な量となる。
更には、各和音の指押さえ位置は、弦楽器の指板上のどのポジションで押さえるかによってコードフォームが異なってくる。即ち、Ｃコードと言えども、ローポジション（ナット側を差し、低い音がでる）での指押さえ位置と、ハイポジション（ブリッジ側を差し、高い音が出る）での指押さえ位置、若しくは、それらの間のミドルポジションでの指押さえ位置とそれぞれ異なる。
【０００６】
上述した前者の弦楽器和音作成支援具によれば、膨大な量の和音について、指押さえ位置を印刷等の手段で紙上に表示することとなり、印刷物そのものが嵩張り、取扱性が悪い。また、調べたい特定の和音の指押さえ位置を知るのに、複数頁を捲りながらその中から該当するものを抽出しなければならず、使い勝手も悪い。
そして、指押さえ位置は、図５に示したように、指板表示上に「●」で表示されているだけであるから、指で押さえる位置は解るものの、「●」で指示されたそれらの音が、和音を構成するどの音に該当するかを把握することが出来ない問題点がある。この問題点に対しては、例えば、「●」の表示に替えて、「▲３▼」、「▲５▼」のようにその音の基音からの度数を示すことで解決させることが考えられる。しかし、この場合も、指押さえ位置以外の位置に関しては、どの様な音であるかは把握することが出来ず、例えば、その和音に対する複数のテンションノートの内から、自分が表現したいテンションノートを探りながら、自分にあったコードフォームを模索して和音を奏でたいような場合には、テンションノートの指押さえ位置が判らず対応することができない。即ち、目的とする和音を、自分にあった押さえ方で自由に創ることができない問題点がある。
【０００７】
また、上述した後者の弦楽器和音作成支援具によれば、印刷物に比べて嵩張らずに取扱性が改善されているとは言うものの、前者のものと同様に、「●」で指示された音が、和音を構成するどの音に該当するかを把握することが出来ない問題点と共に、目的とする和音を、自分にあった押さえ方で自由に創ることができない問題点がある。
【０００８】
従って、本発明の目的は、上記問題点を解消し、指押さえ位置の音が何の音であるかを一目瞭然に知ることができ、更には、和音に付加する音を自由に選択しながら和音構成を組み立てることができる弦楽器和音作成支援具を提供するところにある。
【０００９】
【課題を解決するための手段】
請求項１の発明の特徴構成は、弦楽器の指板上の各位置に対応した音の高さを、前記指板の各弦と各フレットとの座標系に従って等間隔で記載された指板表示部を設け、前記指板表示部の各フレット位置に対応させてフレット番号を順次等間隔で記載したフレット表示部を設け、前記指板表示部と前記フレット表示部とを並設した状態で長手方向に沿って相対移動自在に支持する支持本体を設けてあるところにある。
【００１０】
請求項１の発明の特徴構成によれば、弦楽器の指板上の各位置に対応した音の高さを、前記指板の各弦と各フレットとの座標系に従って等間隔で記載された指板表示部を設けてあるから、指板表示部に表示された音の高さを見ながら、自由に和音を組み立てて、各和音構成音の指押さえ位置を決定することが可能となる。その結果、何れのポジションであっても、和音の指押さえ位置を簡単に決定することが可能となる。また、その決定位置は、既製のコードフォームに制限されることなく、自分なりのフォームを作り出すこともでき、より豊かな音楽演奏を行えるようになる。
また、フレット表示部と指板表示部とは長手方向に沿って相対的にスライドさせることができる上、指板表示部のフレットの間隔は等間隔に設定してあるから、フレット表示部と指板表示部とを上述のようにスライドさせた場合でも、相互のフレット位置の対応がとれる。そして、相互の相対的なスライドに伴って、指板表示部のナット位置が開放弦の音に相当する設定を、例えば、３フレット分スライドさせることで、３フレット目が開放弦の音に当たるような調性に指板表示部の音配置を変更することが可能となる。その結果、フレット表示部と指板表示部とを適切な対応がとれるようにスライドさせるだけで、あらゆる調性について和音の構成音を指板表示部上から見つけることが簡単に出来るようになる。従って、従来の「コードブック」に比べて本体をコンパクトに形成することが可能となり、取扱性の向上を図ることができる。
因みに、前記指板表示部上の音の高さ表示は、例えば、「ドレミ・・」と言った表示や、「Ｃ・♯Ｄ・♭Ｅ・・・」と言った表示や、「Ｉ・ＩＩ・ＩＩＩ  ・・・」（又は、「１・２・３・・・」）と言った基音からの数字を使用した表示であってもよい。
【００１１】
請求項２の発明の特徴構成は、前記指板表示部に記載された音の高さは、特定の調性での基音から数えた整数度数、及び、嬰記号と変記号との少なくとも一方を用いて表示してあり、且つ、前記整数度数については、その調整での和音構成音の度数表示のみを使用してあるところにある。
【００１２】
請求項２の発明の特徴構成によれば、請求項１の発明による作用効果を叶えることができるのに加えて、具体的な表示例としては、例えば、その調性での基音を表す整数としてＩを使用し、あと半音上がる毎に♭ＩＸ・ＩＸ・♯ＩＸ（♭ＩＩＩ  ）・ＩＩＩ  ・・・（又は、♭９・９・♯９（♭３）・３・・・）、と言う表示を使用することで、フレット表示部と指板表示部とを相対スライドさせて表示上の調性を変更しても、常に、変更した調性での基音はＩの表示部として和音の組み立てを考えることができ、各調性で兼用することができる。
しかも、整数度数は、その調性での和音構成音の度数表示のみを使用してあるから、その度数表示を見てそのまま和音構成を直感的に認識することができ、効率よく、和音の指押さえ位置を決定することが可能となる。
例えば、基音から数えて二度目の音は、一般的にそのままの音としては和音には使用されず、この音が和音構成音として用いられる時には一オクターブ上の９度目の音（テンションノート）として使用されることから、二度の音の表示をＩＸと表示してあることで、指板表示部上の数字を見るだけで、間違いなく和音を組み立てることが可能となる。
【００１３】
請求項３の発明の特徴構成は、前記指板表示部のナット部の側縁部に、前記指板表示部に記載されている基音を基にした調性名を記載してあると共に、ブリッジ側に隣接する各フレットの側縁部に、順次、半音づつ低い音を基音とする調性名を記載してあるところにある。
【００１４】
請求項３の発明の特徴構成によれば、請求項２の発明による作用効果を叶えることができるのに加えて、前記指板表示部側縁部の各記調性名の内、求めたい和音の基音に当たる調性名が、前記フレット表示部のナット部（開放フレット位置）に合うように、フレット表示部と指板表示部とを相対スライドさせるだけで、フレット表示部の各フレットに相当する指板表示部にその調性での音配置を再現することが一動作で実現することが可能となり、その状態で、指板表示部上の各音表示から、適切な指押さえ位置を割り出すことができる。
従って、極めて効率よく、且つ、各調性にわたって目的とする和音の指押さえ位置を割り出すことが可能となる。
具体的には、ギターを一例として説明すると、図１、図３に示すように、指板表示部２上のナット部２ｃ側縁部に表示されている「Ｃ」を、フレット表示部３のナット部に合うように指板表示部２とフレット表示部３とを位置合わせすると、その際の指板表示部２に記載されている「Ｉ」（又は「１」又は「ルート」）の部分が「Ｃ」の音となるように指板表示部２とフレット表示部３との相対位置がセットされる。従って、Ｃ和音による指押さえ位置を割り出すには、基音である「Ｉ」（又は「１」又は「ルート」）、三度音の「ＩＩＩ  」（又は「３」）、五度音の「Ｖ」（又は「５」）に相当する表示部分から、自分が押さえ易い位置を選択して、コードフォームを作成することができる。その例としては、図３に示す○印や□印のように設定することができる。
【００１５】
請求項４の発明の特徴構成は、特定の音を基音とする各和音名とそれらの和音構成音とを対応させて記載した和音構成表示部、及び、各調性についてその調性名と調合表示と基音とを対応させて譜表に記載した調性一覧表示部の少なくとも一方を、前記指板表示部と前記フレット表示部と一括して見ることができる配置で、前記支持本体に設けてあるところにある。
【００１６】
請求項４の発明の特徴構成によれば、請求項１〜３の何れかの発明による作用効果を叶えることができるのに加えて、和音構成表示部を設けてあれば、各和音の構成音を参照しながら、前記指板表示部上の和音の指押さえ位置を確定することができ、よりスムースに和音の組み立てを行うことが可能となる。
また、調性一覧表示部を設けてあれば、譜表に表示された調性名と調号及び基音を参考にしながら、前記指板表示部上の和音の指押さえ位置を確定することができ、よりスムースに和音の組み立てを行うことが可能となる。
【００１７】
請求項５の発明の特徴構成は、前記支持本体と前記フレット表示部とは一体に構成してあり、前記支持本体には、前記指板表示部の上面を覆う状態に透明板を設けてあるところにある。
【００１８】
請求項５の発明の特徴構成によれば、請求項１〜４の何れかの発明による作用効果を叶えることができるのに加えて、透明板の上から、例えば、フエルトペン等を使用して、指板表示部の直上部でマーキングすることが可能となり、下に透けた指板表示部の表示文字と、マーキングとを対応させることができる。従って、前記マーキングを和音構成音の組み立て時の補助として使用することができ、効率よく和音構成を実施することが可能となる。
【００１９】
【発明の実施の形態】
以下に本発明の実施の形態を図面に基づいて説明する。尚、図面において従来例と同一の符号で表示した部分は、同一又は相当の部分を示している。
【００２０】
図１〜４は、本発明の弦楽器和音作成支援具の一実施品（以下、単に支援具Ｒという）を例示するものである。前記支援具Ｒは、ギター用に形成してあり、支援具本体（支持本体に相当）１と、支援具本体１に対して挿抜自在に形成された直線定規状の指板表示部２とを備えて構成してある。
【００２１】
前記支援具本体１は、図２に示すように、合成樹脂製の矩形形状の板状体で形成してあり、幅方向の中央部に、長手方向に貫通した貫通孔ｈが形成してある。そして、この貫通孔ｈは、前記指板表示部２が挿入されスライド移動できるように寸法設定して構成してある。
具体的には、支援具本体１は、三層構造に形成してあり、表面側の透明板１Ａと、裏面側の基板１Ｃと、前記透明板１Ａと基板１Ｃとの間に介在させてある中間板１Ｂとを一体的に接着して構成してある。これら三層は、何れも合成樹脂板から構成されている。そして、中間板１Ｂは、二箇所に分かれて設けられ、前記貫通孔ｈを挟んで両側に配置されている。そして、この中間板１Ｂどうしの間隔寸法は、前記指板表示部２の幅寸法に合わせて設定してあると共に、中間板１Ｂの厚み寸法は、前記指板表示部２の厚み寸法に合わせて設定されている。従って、前記透明板１Ａ、両中間板１Ｂ、基板１Ｃによって囲まれた前記貫通孔ｈに、前記指板表示部２がキッチリ納まると共に、貫通孔方向に沿って、スライド移動できるものである。
また、貫通孔ｈの表面側が前記透明板１Ａで構成してあるから、支援具本体１の表面側から、前記貫通孔ｈに挿入された指板表示部２を透視することができる。更には、前記両中間板１Ｂの貫通孔ｈ側の縁部には、長手方向に沿って等間隔に引かれた仕切り線３ａと、ギターネック（後述）のフレット（後述）に相当するフレット番号３ｂとを記載してある（図４参照）。この仕切り線３ａとフレット番号３ｂとによってフレット表示部３が構成されている。そして、一方の中間板１Ｂの表面には、和音の構成音を表示した和音構成表示部４と、各調性についてその調性名５ａと調合表示５ｂと基音５ｃとを対応させて譜表に記載した調性一覧表示部５とを設けてある。他方の中間板１Ｂの表面には、五線表示部６が設けてある。
前記フレット表示部３、和音構成表示部４、調性一覧表示部５、五線表示部６は、何れも、前記透明板１Ａを通して支援具本体１の表面側から透視することができる。
前記和音構成表示部４、及び、前記調性一覧表示部５の表示例は、図４に示すとおりである。
また、透明板１Ａの表面は、例えば、フエルトペン等で文字や記号等を自由に記載することができる上、布や紙でぬぐえば、それらの記載を消すことができる。従って、例えば、五線表示部６上に、和音を作成する過程で音符を記入しながら構成音を吟味することが可能となったり、前記指板表示部２上にマーキングをすると言った使い方ができる（図２参照）。
【００２２】
前記指板表示部２は、ギターの指板に該当する表示がされている。
指板表示部２を説明する前に、ギターの構造について説明すると、図１に示すように、ひょうたん型のボディー２０と、ボディー２０の側方へ延出する形で設けられたネック２１とを備えて構成してある。そして、ネック２１の先端には、弦２２の張力を調整するペグ２３が設けられている。前記弦２２は、基端部をボディー２０に係止固定してあり、先端部が前記ペグ２３に係止固定されている。そして、ネック２１の表面側、即ち、弦２２が張られている側の面部分が指板２４として構成されている。この指板２４の表面部には、音階を形成するためのフレット２５が長手方向に並列状態に設けてある。このフレット２５の内、ネック先端側の位置で各弦２２を支持する状態に設けられているのが、ナット２６である。一方、弦２２の基端側で各弦を支持しているのがブリッジ２７である。
前記指板表示部２は、ギターの指板２４を模倣した状態に形成してある。但し、ギターのフレット２５は、その間隔寸法が、ブリッジ２７側ほど狭くなるように形成してあるのに対して、前記指板表示部２においては、基端側も先端側もフレット間隔は同じ値に設定してある。
具体的には、図３、図４に示すように、フレットに相当するのは、幅方向に引かれた仕切り線２ａで構成してあり、各弦２２に相当するのは、長手方向に引かれた仕切り線２ｂで構成してある。フレットの仕切り線２ａは、フレット表示部３の仕切り線３ａと同じ間隔寸法で引かれている。
そして、仕切り線２ｂ上には、その箇所の各音に対応させて、特定の調性（本実施形態ではＡメジャー）での基音から数えた整数度数、又は、その整数度数と、嬰記号・変記号の少なくとも一方を組み合わせた文字が表示してある。また、前記整数度数については、その調整（Ａメジャー）での和音構成音の度数表示のみを使用して表示してある。但し、基音に当たるＡの音の部分は、「ルート」（又は「基音」）と表示してあると共に、基音より半音低い音（Ｂ）の部分は、「ｍａｊ７」と表示してある。
即ち、具体例としては、図に示すとおり、「ルート」、「♭９」、「９」、「♭３（♯９）」、「３」、「４（１１）」、「♭５（♯１１）」、「５」、「♯５（♭１３）」、「６（１３）」、「７」、「ｍａｊ７」である。
また、図４に示すように、指板表示部２の側縁部には、ギターでのナット２６に相当する部分（ナット部２ｃ）の横に、各音名表示の基本となっている調性名、即ち、本実施形態ではＡメジャーであるから、「Ａ」と言う文字が記載されており、順次、半音づつ低い音を基音とする調性名を仕切り線２ａ横に記載してある。指板表示部２上において、これら調性名を表示してある部分を調性表示部２ｄという。
【００２３】
次に、当該支援具Ｒの具体的な使い方について説明する。
対象和音としてはＣメジャーコードを例として挙げて説明する。
［１］  Ｃメジャーコードの構成音を、和音構成表示部４から読みとる。
その結果、「ルート」、「３」度、「５」度の音から構成されていることが読みとれる。
［２］  指板表示部２をスライドさせながら、調性表示部２ｄの「Ｃ」の文字が、フレット表示部３のナット部に相当する部分に合うように位置決めする。
［３］  フレット表示部３のフレット数が指板２４上でのフレット２５に相当しており、指板表示部２の各音表示から「ルート」、「３」、「５」を探し出す。必要に応じて、フエルトペン等を使用して、透明板上から探し出したポイントにマーキングを行ってもよい（図３中の○印や□印）。
［４］  探し出した各ポイントから、自分が押さえ易い位置を選択する。
【００２４】
この様に、本実施形態で説明した支援具Ｒによれば、自分にあった和音の指押さえ位置を見つけ出すことができる。また、その際に、各音が、和音構成音の内のどの音に相当しているのかと言うことを認識できるから、ボイシングを行ううえにおいても、つぎつぎと流れてゆく和音の流れを考えた和音構成や指使いを見つけ出すことが可能となる。
【００２５】
〔別実施形態〕
以下に他の実施の形態を説明する。
【００２６】
〈１〉  本発明の弦楽器和音作成支援具は、先の実施形態で説明したものに限るものではなく、例えば、マイクロコンピュータを使用して、各構成に相当する機能を発揮できるようにプログラミングを行った電気的な装置であってもよく、この場合は、ディスプレーを介して、データ表示や、制御の支持を行うことができ、それらを含めて弦楽器和音作成支援具と言う。
〈２〉  前記弦楽器は、先の実施形態で説明したギターに限るものではなく、例えば、ウクレレやバンジョ、マンドリン等でもよく、更には、フレットレス系の楽器、例えば、バイオリン、コントラバス、三味線等であってもよく、それらを含めて弦楽器と総称する。
〈３〉  前記支持本体は、先の実施形態で説明した三層構造のものに限るものではなく、例えば、一体成形した後、切削加工等によって形成するものであってもよく、また、材質に関しても、合成樹脂に限らず、例えば、金属や紙、木材等、さまざまなものを使用することができる。
また、支持本体の表面部には、先の実施形態で説明したような和音構成表示部４や、調性一覧表示部５や、五線表示部６のすべてを設けてある構成に限るものではなく、例えば、それら表示部の全てを設けて無い構成や、それら表示部の一部のみを設ける構成であってもよい。
〈４〉  前記指板表示部２は、先の実施形態で説明したように、音表示として数字や嬰記号・変記号の組み合わせに限るものではなく、例えば、「ド・レ・ミ・ファ・・・」表示であったり、「Ｃ・Ｄ・Ｅ・Ｆ・・・」表示であってもよい。
【００２７】
尚、上述のように、図面との対照を便利にするために符号を記したが、該記入により本発明は添付図面の構成に限定されるものではない。
【図面の簡単な説明】
【図１】ギターと支援具とを示す斜視図
【図２】支援具を示す分解斜視図
【図３】支援具の要部を示す説明図
【図４】支援具の要部を示す説明図
【図５】コードブックを示す説明図
【符号の説明】
１      支持本体
１Ａ    透明板
２      指板表示部
２ｃ    ナット部
３      フレット表示部
３ｂ    フレット番号
４      和音構成表示部
５      調性一覧表示部
５ａ    調性名
５ｂ    調合表示
５ｃ    基音
２２    弦
２４    指板
２５    フレット
【図１】
2004157303.tif 000003
【図２】
2004157303.tif 000004
【図３】
2004157303.tif 000005
【図４】
2004157303.tif 000006
【図５】
2004157303.tif 000007